(57)【要約】【課題】構造が簡単で、しかも、施錠効果の高い施錠装置を提供する。【解決手段】施錠装置１１はオス部材１２とメス部材１３から成る。オス部材１２は断面が略楕円状をした軸部２１を有する。メス部材１３はホルダー３１と押え板３３との間にバネ板３２を挟みこんだ構造を有している。バネ板３２は湾曲した額縁状部３９の内周部に対向する一対の食込片４１を備えており、バネ板３２の開口に断面の長軸方向が食込片４１間を結ぶようにして軸部２１を挿通し、ホルダー３１と押え板３３の間でバネ板３２をほぼ扁平に押し広げると、食込片４１が軸部２１を噛み込んで軸部２１が抜け止めされると共にバネ板３２の弾性力によって食込片４１が軸部２１を噛み込んだ状態にバネ板３２が自己保持される。【選択図】図２
2008142109.tif 000002
【特許請求の範囲】
【請求項１】
オス部材とメス部材とを係合させることによって施錠する施錠装置であって、
前記オス部材は、長さ方向に垂直な断面が長手方向と短手方向とを持つ軸部と、前記軸部からその外周方向へ張り出した当接部とを有し、
前記メス部材は、前記軸部を挿通させる貫通孔を有し、かつ前記当接部が当接可能となった第１の部材と、前記軸部が挿入される空間を有する第２の部材と、前記第１の部材と前記第２の部材の間に配置された湾曲形状のバネ部材とを有し、
前記バネ部材は前記軸部の通過する開口を有し、当該開口の縁から複数片の食込片が突出しており、前記バネ部材に負荷が加わっていない状態においては前記食込片間の空間を任意の回転角度で前記軸部が挿通可能であり、前記バネ部材が前記第１の部材と第２の部材の間で圧締されると前記食込片間の空間に挿通された前記軸部を前記食込片が噛み込むように構成された施錠装置。
【請求項２】
前記食込片が前記軸部の断面の長軸方向から前記軸部の外周面を噛み込んだ状態においては、前記バネ部材の弾性復帰力によって前記食込片の噛み込み状態が自己保持されることを特徴とする、請求項１に記載の施錠装置。
【請求項３】
前記軸部は断面がほぼ楕円状に形成されていることを特徴とする、請求項１又は２に記載の施錠装置。
【請求項４】
前記バネ部材及び前記第１の部材は、前記第２の部材の表面に立てたガイドピンによって前記軸部の挿入方向と平行な方向に移動可能に保持されていることを特徴とする、請求項１から３のいずれか１項に記載の施錠装置。
【請求項５】
前記メス部材は、前記オス部材の軸部が挿入されているか、あるいは挿入されていないかを検知するための検知手段を備えていることを特徴とする、請求項１から４のいずれか１項に記載の施錠装置。
【請求項６】
請求項１から５のいずれか１項に記載の施錠装置を備えた遊技機。
【発明の詳細な説明】
【技術分野】
【０００１】
本発明は、主としてスロットマシンやパチンコ台等の遊技機に用いる施錠装置に関し、特に、後付けの可能な施錠装置に関する。
【背景技術】
【０００２】
スロットマシンやパチンコ台等の遊技機は、主としてマシン本体と扉とから構成されており、例えばスロットマシンでは、遊技に関する制御を行なうための回路基板、払い出し用のコインを入れたホッパーなどがマシン本体内に収納され、表示部や遊技用ボタン、コインの受け皿などが扉に設けられている。扉は、マシン本体に蝶着されていて片開きとなっており、扉とマシン本体との間には、扉を閉じて施錠するための施錠機構が設けられている。
【０００３】
上記施錠機構にあっては、扉の内面に上下スライド可能な連結桿が取付けられており、連結桿に設けた複数箇所のフックをマシン本体の鈎受部に引っ掛けることによって施錠できる構造となっている。また、シリンダ錠に差し込んだキーを回すと、連結桿が上方または下方へスライドしてフックが鈎受部から外れ、施錠機構が解錠される。従って、通常はシリンダ錠に差したキーを回して施錠機構を解除しなければ、遊技機の扉を開くことができない。
【０００４】
しかし、このような遊技機にあっても、不正行為により施錠機構が解除され、扉が開かれることがあった。すなわち、扉とマシン本体との隙間から針金やセルロイド板などが差し込まれると、針金やセルロイド板などを操作して連結桿を動かすことができ、それによってキーを用いることなくフックを鈎受部から解除することができる。このようにして不正行為によって扉を開き、遊技機内のコインを盗んだり、遊技機内部の制御回路に細工を施したりする事件が多発しており、その対策が必要とされている。
【０００５】
このような不正行為を防止するための補助用の施錠装置としては、特許文献１や特許文献２に開示されたものがある。この施錠装置はマシン本体にオス部材を取付け、シリンダ錠の先端にメス部材を設けたものである。メス部材の内部には、前記オス部材の軸部を挿入するためのテーパー孔が形成されていて軸部挿入側でテーパー孔が狭くなっている。そして、テーパー孔の内側両面にボール（係合部材）を配設し、ボールをスプリングによって軸部挿入側へ付勢している。
【０００６】
そして、施錠状態においては、メス部材のテーパー孔に挿入された軸部を両側からボールで掴んでいる。また、軸部にメス部材から引き抜こうとする力が加わると、ボールがテーパー孔によって軸部により強く押圧されることになり、軸部がメス部材に強く掴まれてオス部材とメス部材が分離するのが阻止される。
【０００７】
【特許文献１】特開２００６−４３０９７号公報
【特許文献２】特開２００６−６１１８２号公報
【発明の開示】
【発明が解決しようとする課題】
【０００８】
しかしながら、特許文献１や特許文献２に開示されている施錠装置では、施錠時にメス部材によりオス部材の軸部を掴む保持力が十分でなく、特に軸部やボールに油分が付着したり、振動が加わったりした場合には、不用意にオス部材とメス部材が分離して解錠する恐れがあった。
【０００９】
本発明は上記のような従来例に鑑みてなされたものであり、その目的とするところは、構造が簡単で、しかも、施錠効果の高い施錠装置を提供することにある。
【課題を解決するための手段】
【００１０】
このような目的を達成するために、本発明の施錠装置は、オス部材とメス部材とを係合させることによって施錠する施錠装置であって、前記オス部材は、長さ方向に垂直な断面が長手方向と短手方向とを持つ（例えば、略楕円形の断面）軸部と、前記軸部からその外周方向へ張り出した当接部とを有し、前記メス部材は、前記軸部を挿通させる貫通孔を有し、かつ前記当接部が当接可能となった第１の部材と、前記軸部が挿入される空間を有する第２の部材と、前記第１の部材と前記第２の部材の間に配置された湾曲形状のバネ部材とを有し、前記バネ部材は前記軸部の通過する開口を有し、当該開口の縁から複数片の食込片が突出しており、前記バネ部材に負荷が加わっていない状態においては前記食込片間の空間を任意の回転角度で前記軸部が挿通可能であり、前記バネ部材が前記第１の部材と第２の部材の間で圧締されると前記食込片間の空間に挿通された前記軸部を前記食込片が噛み込むように構成されたことを特徴としている。
【００１１】
本発明の施錠装置にあっては、軸部の断面の長軸方向が食込片を結ぶ方向と一致するようにしてオス部材の軸部をメス部材に挿入するだけで施錠することができ、またオス部材を軸部の軸回りに回転させるだけで簡単に解錠することができる。しかも、施錠状態において無理にオス部を引っ張ってオス部材とメス部材とを分離しようとすると、食込片が軸部を強く噛み込むので、ますます解錠しにくくなり、施錠効果に優れている。
【００１２】
しかも、本発明の施錠装置は、構造が簡単であり、安価に製造することができる。それにも拘わらず、バネ部材の食込片に軸部を噛み込ませて施錠する構造となっているので、油の付着や振動にも強く、信頼性の高い施錠装置を製作することができる。
【００１３】
本発明にかかるある実施態様の施錠装置は、前記食込片が前記軸部の断面の長軸方向から前記軸部の外周面を噛み込んだ状態においては、前記バネ部材の弾性復帰力によって前記食込片の噛み込み状態が自己保持されることを特徴としている。かかる実施態様によれば、施錠状態を保つためにバネ部材を変形状態に保つための機構が必要ないので、本発明の施錠装置の構造をより簡略にすることができる。
【００１４】
本発明にかかる別な実施態様の施錠装置にあっては、前記バネ部材及び前記第１の部材は、前記第２の部材の表面に立てたガイドピンによって前記軸部の挿入方向と平行な方向に移動可能に保持されている。かかる実施態様によれば、簡単な構造により第１の部材とバネ部材を第２の部材に保持させることができる。
【００１５】
本発明にかかる別な実施態様の施錠装置においは、前記メス部材が、前記オス部材の軸部が挿入されているか、あるいは挿入されていないかを検知するための検知手段を備えているので、不正に解錠された場合には、直ちに検知手段によって検知することができ、防犯性を高めることができる。
【００１６】
なお、本発明の施錠装置は、スロットマシンやパチンコ台等の遊技機に用いるのに適したものである。
【発明を実施するための最良の形態】
【００１７】
以下、図面を参照しながら本発明の実施形態について詳細に説明する。
【００１８】
（実施形態１）
図１は、本発明の実施形態１による施錠装置１１を示す側面図、図２はその断面図、図３はその分解斜視図である。図１及び図２に示すように、この施錠装置１１は、オス部材１２とメス部材１３から成る。
【００１９】
オス部材１２は、軸部２１、当接部２２、鍔部２３及び取付部２４からなり、金属材料によって一体に構成されている。軸部２１は軸棒状となっており、その長さ方向に垂直な断面は略楕円形状となっていて長軸方向（長手方向）と短軸方向（短手方向）とを有している。但し、軸部２１の断面における長軸と短軸とはほぼ等しく、見た目では軸部２１はほぼ円柱状となっている。また、軸部２１の先端は円錐台状に形成されていてテーパー部２５となっている。当接部２２は円柱状となっており、軸部２１の基端部に設けられている。当接部２２の直径は軸部２１の直径よりも大きくなっている。鍔部２３は円板の一部を直線状に欠いた形状となっている。取付部２４はシリンダ錠１４の回転部分１５に取付けるための部分であって、例えば雄ネジ部となっている。
【００２０】
メス部材１３は、図３に示すように、ホルダー３１（第２の部材）、バネ板３２、押え板３３（第１の部材）、複数本（２本）のガイドピン３４によって構成されている。ホルダー３１は金属材料によってブロック状に形成されており、その中央部には前記軸部２１を回転自在に挿入することのできる円柱状の挿入孔３５が設けられている。挿入孔３５は前後に貫通した貫通孔でもよく、背面が塞がった袋状穴であってもよい。また、挿入孔３５の前端部において、ホルダー３１の前面には皿状の凹部３６を形成している。符号３７はガイドピン３４を取付けるためのピン取付孔である。各ガイドピン３４は、一部がピン取付孔３７から飛び出るようにしてピン取付孔３７に立てられており、押え板３３を抜け止めするための頭部３８を有している。ガイドピン３４はピン取付孔３７に圧入されていてもよいが、図示例ではネジ構造によってピン取付孔３７に取り付けている。ネジ構造にすれば、ガイドピン３４の突出長の調整を容易に行えるためである。
【００２１】
バネ板３２は鋼のようなバネ材によって形成されており、額縁状部３９の開口４０の内周両端には食込片４１が延出している。額縁状部３９は、食込片４１を結ぶ方向（以下、この方向を上下方向ということがある。）に沿って弓なりに湾曲しており、中央部が背面側（ホルダー３１側）へ向けて突曲している。額縁状部３９の開口４０内で対向している２つの食込片４１は、先端が額縁状部３９よりも後方へ突出するよう基部を屈曲させている。食込片４１の先端の辺はＶ字状に形成されており、直線状に形成した場合よりも軸部２１への食い込み箇所が増加するようにしている。対向する食込片４１の先端の辺の間には、軸部２１を通過させるための空間が空いている。また、額縁状部３９の、ホルダー３１のピン取付孔３７と対向する位置には、上下方向に長い長孔４２が開口されている。
【００２２】
図２に示すように、バネ板３２はホルダー３１の前面に配置され、長孔４２に遊挿されたガイドピン３４によって支持されている。食込片４１は少なくともその先端部分がホルダー３１の凹部３６に納まるようになっている。
【００２３】
図３に示すように、押え板３３はホルダー３１の前面と同じ形状をした金属板であって、中央部には軸部２１を回転自在に挿通させるための円形の軸貫通孔４３が開口している。また、押え板３３の、ホルダー３１のピン取付孔３７と対向する位置には、ガイドピン３４の軸部よりも大きく、かつガイドピン３４の頭部３８よりも小さな遊び孔４４があいている。
【００２４】
図２に示すように、押え板３３はバネ板３２の前面に配置され、遊び孔４４に遊挿されたガイドピン３４によって支持されている。よって、バネ板３２と押え板３３は、ガイドピン３４の軸方向に動くことができるような状態でガイドピン３４に保持されており、バネ板３２はホルダー３１の前面と押え板３３との間に挟み込まれている。
【００２５】
図４（ａ）（ｂ）及び図５（ａ）（ｂ）は、施錠装置１１のオス部材１２とメス部材１３とを結合させて施錠する際の動作を表わした断面図である。オス部材１２は、通常の状態においては軸部２１の断面の長軸方向が上下方向を向くように角度を決めてシリンダ錠１４に取り付けられている。オス部材１２をメス部材１３に近づけて軸部２１を軸貫通孔４３に挿入しようとすると、図４（ａ）に示すように、テーパー部２５が軸貫通孔４３に嵌まることによって軸部２１がガイドされる。
【００２６】
さらに、軸部２１を押し込むと、図４（ｂ）に示すように、軸部２１はバネ板３２の食込片４１間の空間を通過して挿入孔３５内に挿入され、当接部２２の前面が押え板３３の前面に当たる。このときには、食込片４１間の空間は軸部２１の断面の長軸方向の長さと等しいか、それよりも広くなっているので、軸部２１はスムーズにバネ板３２を通過する。
【００２７】
さらに、力を加えてオス部材１２を押し込むと、図５（ａ）に示すように、当接部２２によって押え板３３が押されて後退し、バネ板３２がホルダー３１と押え板３３との間に挟み込まれて扁平に押し潰される。バネ板３２が扁平に押し潰されると、食込片４１の先端が中心側へ伸びて食込片４１の先端が軸部２１の長軸側外周面を噛み込む。
【００２８】
こうして図５（ｂ）に示すように、扁平に押し潰されたバネ板３２の食込片４１が軸部２１の外周面をいったん噛み込むと、オス部材１２を押し込む力が除かれても、バネ板３２の弾性復帰力によって食込片４１が軸部２１を噛み込んだ状態が維持され、軸部２１がバネ板３２に掴まれて抜けなくなる。そして、バネ板３２はガイドピン３４によってホルダー３１に保持されているから、オス部材１２とメス部材１３が結合されて施錠状態となる。
【００２９】
図６（ａ）（ｂ）は施錠装置１１を解錠してオス部材１２とメス部材１３を分離させる際の動作を表わした断面図である。図６（ａ）に示すように、シリンダ錠１４の操作によってオス部材１２が９０°回転させられると、軸部２１の断面の短軸方向が上下方向を向くことになるので、軸部２１の上下方向の高さが食込片４１の先端間の距離よりも短くなり、食込片４１の食込みが無くなってバネ板３２が元の湾曲状態に復帰する。よって、オス部材１２を引っ張ると、軸部２１が軸貫通孔４３から抜け出し、図６（ｂ）に示すように施錠装置１１は解錠される。
【００３０】
次に、上記施錠装置１１の施解錠の原理を説明する。図７はバネ板３２の変形前の形状と変形後の形状を側面から見た模式図であって、実線は変形前の形状を示し、２点鎖線は変形後の形状を示す。また、変形前の形状と変形後の形状とは食込片４１の基部Ｏを一致させて描いており、円ｒは食込片４１の基部Ｏを中心とする、半径が食込片４１の長さに等しい円である。変形前のバネ板３２では、実線で示すように額縁状部３９が大きく湾曲しているので、食込片４１は上下方向に対して大きな角度θ１を有しているが、バネ板３２がホルダー３１と押え板３３との間に挟み込まれて扁平に変形すると、食込片４１が上下方向に対して成す角度がθ２に小さくなる。そのため、図７に示すように、変形後のバネ板３２では、食込片４１の先端間の軸部２１が通る空間の幅が変形前よりも狭くなる。
【００３１】
図８（ａ）（ｂ）はバネ板３２の変形前の形状と変形後の形状を模式的に表わした正面図であって、実線は変形前の形状を示し、２点鎖線は変形後の形状を示す。また、軸部２１の断面も２点鎖線で表わしている。バネ板３２がホルダー３１と押え板３３の間に挟まれて扁平に変形した状態では、食込片４１の先端が中心側に伸びて食込片４１間の距離が短くなっており、断面の長軸方向が食込片４１どうしを結ぶ方向（上下方向）を向いている軸部２１の断面はこのときの食込片４１と重なり合っている。これに対し、断面の短軸方向が食込片４１どうしを結ぶ方向（上下方向）を向いている軸部２１の断面は、扁平に変形して食込片４１の先端間の距離が短くなっていても、このときの食込片４１と重なり合わない。また、バネ板３２が変形していない状態では、軸部２１の角度によらず軸部２１の断面は食込片４１と重なり合わない。
【００３２】
軸部２１の断面形状や食込片４１の形状は、上記のように設計されているので、軸部２１をメス部材１３に挿入する場合には、軸部２１が食込片４１に引っ掛かることなくスムーズに挿入される。そして、軸部２１の断面の長軸方向が上下方向を向いた状態で、当接部２２により押え板３３を押してバネ板３２をホルダー３１との間で挟んでほぼ扁平に押し潰すと、食込片４１の先端が軸部２１の外周面を噛み込む。この後、オス部材１２を押す力が無くなっても、バネ板３２の弾性復帰力によって食込片４１は軸部２１を噛み込んだ状態を維持するので、軸部２１はメス部材１３から抜けず、オス部材１２とメス部材１３が結合した状態（施錠状態）が保持される。そして、軸部２１をメス部材１３から無理に引き抜こうとすると、ますます食込片４１が軸部２１を噛み込むことになり、軸部２１を無理に引き抜くことが難しく、高い施錠性能を有する。また、軸部２１を回転させてその断面の短軸方向が上下方向を向くようにすれば、軸部２１が変形したバネ板３２の食込片４１から外れるので、バネ板３２は元の形状に復帰し、軸部２１がメス部材１３から抜けて解錠されるのである。
【００３３】
上記施錠装置１１は家屋のドアや収納庫などにおいて単独の施錠装置として用いることもできるが、スロットマシンやパチンコ台などの遊戯機の補助用の施錠装置として用いるのにも好適である。図９は、上記施錠装置１１をスロットマシン６１の補助施錠装置として用いた場合を表わしている。スロットマシン６１の扉６２には、キー６３を差して回すことにより施解錠することのできるシリンダ錠１４が取り付けられており、キー６３を回したときに回転するシリンダ錠１４の回転部分１５にオス部材１２が固定されている。また、図１に示したように、メス部材１３はゴムシート６４を介してスロットマシン６１のマシン本体６５の内部に固定されている。このゴムシート６４は、オス部材１２とメス部材１３とを結合させて施錠する際の衝撃を吸収すると共に、オス部材１２とメス部材１３の取付位置誤差を吸収する働きをしている。
【００３４】
一方、スロットマシン６１は、図１０に示すような施錠機構７１を備えている。符号６８は、マシン本体６５内の上部及び下部に固定された金属製の鈎受部６７に引っ掛けて扉６２を施錠するためのフックであって、回転軸７０によって扉６２内面に回動自在に取り付けられている。連結桿６６は扉６２の内面（例えば、扉６２の内部に設けられた金属製フレーム）に上下方向に沿って摺動可能に取り付けられており、フック６８の基部をピン６９によって連結桿６６に回動自在に結合することにより上下のフック６８を連結桿６６を介してリンク結合している。
【００３５】
このようなスロットマシン６１においては、扉６２のシリンダ錠１４にキー６３を差し込んで回すと、連結桿６６がスライドして上下のフック６８が連動して回転し、フック６８が鈎受部６７から外れて施錠機構が解錠される。同時に、シリンダ錠１４に差し込んだキー６３を回すことによって施錠装置１１も解錠されるので、扉６２を開くことができる。
【００３６】
また、キー６３を元の位置に戻すと、施錠装置１１の軸部２１が元の角度に戻り、フック６８も元の位置に戻る。この後扉６２を閉めると、フック６８の傾斜面が鈎受部６７に当たることによってフック６８が回動し、フック６８が鈎受部６７に係合して施錠機構７１が施錠される。同時に、シリンダ錠１４に取り付けられているオス部材１２の軸部２１がメス部材１３に嵌り込み、オス部材１２とメス部材１３が結合されて施錠装置１１が施錠される。
【００３７】
こうして施錠された状態では、スロットマシン６１の施錠機構７１によって施錠されると共に補助用の施錠装置１１も施錠されているので、スロットマシン６１の施錠がより確実になる。しかも。扉６２とマシン本体６５との間の隙間から針金やセルロイド板などを挿入してフック６８や連結桿６６を動かして施錠機構７１を解錠したとしても、施錠装置１１はこのような方法では解錠することができないので、スロットマシン６１の扉６２を開くことはできない。また、施錠装置１１は、無理に引っ張って解錠しようとすると、食込片４１がますます強く軸部２１に食い込んで開かなくなるので、不正行為により解錠することが困難であり、結局キー６３でシリンダ錠１４を回して解錠する以外方法がない。
【００３８】
なお、上記食込片４１の形状や軸部２１の断面形状は、上記実施形態のような形状に限るものではない。例えば、図１１に示す変形例では、食込片４１の先端の辺が一直線状となっており、かつ、両食込片４１の先端の辺どうしが平行となっている。また、軸部２１の断面は断面小判形となっている。
【００３９】
（実施形態２）
図１２は本発明の実施形態２による施錠装置５１の構造を示す断面図である。実施形態２の施錠装置５１は、施錠装置５１の施錠状態及び解錠状態を検知するための検知センサ５２を備えている。検知センサ５２は、挿入孔３５の下面から挿入孔３５内に突出するボール５３とボール５３の下に配置されたリミットスイッチ５４によって構成されている。しかして、軸部２１を挿入孔３５に挿入すると、軸部２１によってボール５３が押し下げられるのでリミットスイッチ５４がオンになり、施錠状態が検知される。また。挿入孔３５から軸部２１が抜かれると、ボール５３が挿入孔３５内に飛び出てリミットスイッチ５４がオフになるので、解錠状態が検知される。よって、リミットスイッチ５４の出力を監視することによって施錠装置１１の施錠状態と解錠状態を監視でき、不正に施錠装置１１が解錠された場合には、例えば警報を発するようにでき、より防犯性を高めることができる。
【００４０】
なお、上記実施形態においては、ホルダー３１と押え板３３との間には１枚のバネ板３２を挟み込んでいたが、この間に複数枚のバネ板３２を重ねて挟み込むようにしてもよい。板バネ３２の枚数を増やすことによって軸部２１を噛み込んで掴む力を大きくすることができる。
【図面の簡単な説明】
【００４１】
【図１】図１は、本発明の実施形態１による施錠装置を示す側面図である。
【図２】図２は、実施形態１の施錠装置を示す側面図である。
【図３】図３は、実施形態１の施錠装置を示す分解斜視図である。
【図４】図４（ａ）（ｂ）は、実施形態１の施錠装置のオス部材とメス部材とを結合させて施錠する動作を表わした断面図である。
【図５】図５（ａ）（ｂ）は、図４（ａ）（ｂ）の続図である。
【図６】図６（ａ）（ｂ）は、実施形態１の施錠装置を解錠する動作を表わした断面図である。
【図７】図７は、バネ板の変形前の形状と変形後の形状を側面から見た模式図である。
【図８】図８（ａ）（ｂ）は、バネ板の変形前の形状と変形後の形状を模式的に表わした正面図である。
【図９】図９は、実施形態１の施錠装置をスロットマシンの補助施錠装置として用いた例を示す側面図である。
【図１０】図１０は、スロットマシンの施錠機構を示す概略図である。
【図１１】図１１は、実施形態１の変形例によるバネ板と軸部の断面を示す図である。
【図１２】図１２は、本発明の実施形態２による施錠装置の構造を示す断面図である。
【符号の説明】
【００４２】
１１      施錠装置
１２      オス部材
１３      メス部材
１４      シリンダ錠
２１      軸部
２２      当接部
２３      鍔部
２４      取付部
２５      テーパー部
３１      ホルダー
３２      バネ板
３３      押え板
３４      ガイドピン
３５      挿入孔
３９      額縁状部
４１      食込片
４３      軸貫通孔
５１      施錠装置
５２      検知センサ
５３      ボール
５４      リミットスイッチ
【図１】
2008142109.tif 000003
【図２】
2008142109.tif 000004
【図３】
2008142109.tif 000005
【図４】
2008142109.tif 000006
【図５】
2008142109.tif 000007
【図６】
2008142109.tif 000008
【図７】
2008142109.tif 000009
【図８】
2008142109.tif 000010
【図９】
2008142109.tif 000011
【図１０】
2008142109.tif 000012
【図１１】
2008142109.tif 000013
【図１２】
2008142109.tif 000014